Podtech/llm-jp-corpus-v4-ja_patent huggingface dataset:
(57)【要約】      （修正有）【課題】からみつきの生じない小型の磁着型集合フックを提供する。【解決手段】各フック３を長短して下部の前倒し回動支点４を上下，下がり傾斜線上，Ｖ形線上などにずらしてフック３間の間隔を拡げるようにする。【選択図】図２
0003206819.tif 000002
【実用新案登録請求の範囲】
【請求項１】
角板形の基板の前面に５個など複数個のフックを長短して、各フックの下部の前倒し回動支点を上下，下がり傾斜線上，Ｖ形線上のいずれかにずらして、各フックの前倒し回動位置間の間隔を拡げて、フック掛け物品間のからみつきを防止するようにしたことを特徴とする磁着型集合フック。
【請求項２】
複数のフックは選別しやすいように色分けする請求項１に記載の磁着型集合フック。
【考案の詳細な説明】
【技術分野】
【０００１】
この考案は角板形をしたプラスチック基板に鍵などの物品を掛け吊りするフックを狭い間隔にて５個等にて並設する磁着型集合フックに関するものある。
【背景技術】
【０００２】
この種の集合フックとしては実用新案登録第３１１３８４３号公報がある。この公報は冷蔵庫の外壁等に磁着する掛け台に掛け吊り用のフックを狭い間隔にて複数個並設したことを記載している。
【特許文献１】意匠登録第１４３００３１号公報
【考案の開示】
【考案が解決しようとする課題】
【０００３】
しかしながら、この公報はフック間の間隔が狭いためにフック掛けする鍵などの物品が互いにからみついてフックからのはずし出しに難儀し、その際に隣りの鍵などをはずし落としするおそれが生ずるという課題がある。
【課題を解決するための手段】
【０００４】
本考案は、基板の前面に狭い間隔にて並列嵌付けする５個等の掛け吊り用のフックを長短して各フックの下部の前倒し回動支点を上下、または下がり傾斜線上、Ｖ形線上などにずらして掛け吊り可能に前倒ししたフック間の間隔を拡げてフック掛け吊りする鍵，キーホルダーなどの物品の間にからみつきの生ずることを防止するようにして上記公報の課題を解決する。
【考案の効果】
【０００５】
本考案は、各フックを長短して下部の前倒し回動支点を上下または下がり傾斜線上、Ｖ形線上などにずらして、支点をもとに前倒しする各フック間の間隔を上下にずらして拡げたので、フック掛け物品の間のからみつきを防止することができるという効果を生ずる。
【０００６】
フック掛けした鍵などの物品のはずし出しを容易にしてその際に隣りのフック掛け物品をはずし落としするおそれが解消するという効果を生ずる。
【０００７】
各フックを例えば青，黄，黒，緑，赤など多くの色に色分けすることで、フック掛けした物品を選別および識別しやすくすることができるという効果を生ずる。
【０００８】
フック間の間隔を上下，斜め線上，Ｖ形線上などにずらして拡げることで、複数個を並設する集合型のフックをさらに小型にして持ち運びしやすくするという効果を生ずる。
【図面の簡単な説明】
【０００９】
【図１】第１実施例においてフックを嵌め付け溝内に収納した状態を示す斜視図
【図２】同、各フックを前倒しした状態を示す斜視図
【図３】同、鍵，キーホルダーなどの物品を掛け吊りした状態を示す斜視図
【図４】第２実施例のフックを前倒しした状態を示す斜視図
【図５】第３実施例のフックを前倒しした状態を示す斜視図
【符号の説明】
【００１０】
１は磁着面
２は基板
３はフック
３ａは凸部
４は回動支点
５は嵌め付け溝
Ｅは鍵，キーホルダーなどの物品
【考案を実施するための最良の形態】
【００１１】
本考案は、角板形をしたプラスチック基板の前面に並列嵌付けする５個などの掛け吊り用のフックを長短して、長短のフックを上端を揃えて交互に上下させ、または長さ順に傾斜並べするなどして、各フックの下部の前倒し回動支点を上下または下がり傾斜線上，Ｖ形線上などに順にずらして、各前倒しフック間の間隔を拡げて鍵，キーホルダーなどのフック掛け物品の相互の間のからみつきを防止するようにして磁着型集合フックを形成する。
【実施例１】
【００１２】
図１乃至図３は本考案の第１実施例であって、裏面に磁着面１を設けた厚い角板形をしたプラスチックからなる基板２の前面に長短したフック３の上端を基板２の上面上に表出するように揃えて交互に並べ嵌め、各フック３の下部の前倒し回動支点４を長短別に上下させて各フック３の前倒し回動位置間の間隔を上列，下列別に拡げるのである。５は各フック３の嵌め付け溝である。
【００１３】
各フック３は図２に示すように基板２の上面に表出している上面の凸部３ａに手指を当てて前倒し回動するのである。各フック３は９０度または９０度弱において前倒しされて物品Ｅを掛け吊り可能とする。
【００１４】
前倒しされた各フック３は交互に上下して、間隔を拡げることとなる。
【００１５】
鍵，キーホルダーなどの物品Ｅはフック３間が広いことで容易にフック掛けすることができ、フック掛けした物品Ｅをはずし出すときも隣りの物品Ｅとの間でからみつきがないので、容易にはずし出しすることができることとなる。
【００１６】
この際、隣りの物品Ｅをはずし落としするおそれも生じないものとなる。
【００１７】
なお、長短した各フックの並べ方は前記した順のほか、長短短長等に並べ替えする自由がある。しかして各フック３は、基板２を白色にして青，黄，黒，緑，赤等に色分けして物品Ｅの掛け並べの際の選別と識別をしやすくする。
【００１８】
図４は本考案の第２実施例であって、５個のフック３を長短５種にて形成して、基板２の前面に上端を揃えて順に下がり傾斜させて嵌め付けて、各フック３の前倒し回動支点４の位置を下がり傾斜線上にずらして各フック３の前倒し位置間の間隔を拡げて鍵などの物品Ｅの掛け吊りの際のからみつきを防止するようにしたのである。その他の構成と作用は前例と同じである。
【００１９】
図５は本考案の第３実施例であって、各フック３の前倒し回動支点４をＶ形線上にあるようにする。その他の構成と作用は第１実施例と同じである。
【００２０】
以上、本考案は白色の小形基板２に５色に色分けした各フック３を集合して嵌付けてなるので、磁着面のあるロッカー，冷蔵庫、その他の磁着面に手軽に持ち運び磁着して多くの鍵，キーホルダーなどの物品を選別と識別容易にして、からみつきなしに掛け吊りすることができるものとなる。
【００２１】
各フックの回動支点を上下，斜めの傾斜線上，Ｖ形線上にずらすことで狭いスペースに拘わらず各フック間の間隔を拡げることができて、基板をさらに小型にして持ち運びしやすいものとすることができる利益がある。
【産業上の利用可能性】
【００２２】
本考案は  からみつきの生じない磁着型集合フックを形成することで広く利用されるものである。
【図１】
0003206819.tif 000003
【図２】
0003206819.tif 000004
【図３】
0003206819.tif 000005
【図４】
0003206819.tif 000006
【図５】
0003206819.tif 000007
(57)【要約】      （修正有）【課題】包装用ラベルにおいて、印刷模様だけでは得られない新規な美感を呈するラベルを提供する。【解決手段】表面に模様印刷処理（文字２１，模様２２）を施し、裏面に接着層を設けた所望形状のラベル体２において、ラベル体の内方に模様形状（印刷模様の形状と対応、または地模様の形状に対応）となる抜き孔３を設け、商品包装体（ラベル貼着対象物）に貼着する。抜き孔３から当該商品包装体の表面が視認され従前と異なる美感を呈する。【選択図】図１
0003206875.tif 000002
【実用新案登録請求の範囲】
【請求項１】
表面に模様印刷処理を施し、裏面に接着層を設けた所望形状のラベル体において、ラベル体の内方に模様形状となる抜き孔を設けてなることを特徴とする包装用ラベル。
【請求項２】
模様印刷されたラベル体において、当該模様に対応して抜き孔を設けてなる請求項１記載の包装用ラベル。
【請求項３】
模様印刷されたラベル体において、地模様箇所に抜き孔で模様を形成してなる請求項１記載の包装用ラベル。
【請求項４】
剥離台紙上に貼着してなる請求項１乃至３記載の何れかの包装用ラベル。
【考案の詳細な説明】
【技術分野】
【０００１】
本考案は、酒瓶、ワイン瓶やその他の商品包装体に使用する包装用ラベルに関するものである。
【背景技術】
【０００２】
一般的な包装用ラベルは所定の印刷処理し、その外縁に合わせて切断され、所定の商品に貼着するものであり（特許文献１）、また予め裏面に接着剤や粘着剤を塗布したラベル原紙をラベル台紙（剥離台紙）に貼設しておき、ラベル原紙のラベル絵外輪のみ切断し、ラベル使用時に当該ラベルをラベル台紙から剥離して対象物品に貼着するものも知られている（特許文献２）。
【先行技術文献】
【特許文献】
【０００３】
【特許文献１】実開平３−３１７７７４号公報。
【特許文献２】特開２０１３−９５００５号公報。
【考案の概要】
【考案が解決しようとする課題】
【０００４】
ラベル（ラベル原紙）を所望形状に形成する際には、文字及び模様で構成されるラベルの外縁に添って型抜きしており、型抜きされたラベルをそのまま商品包装体（ラベル貼着対象物）に貼着すると、例えば酒瓶のような透明な包装用容器や地色を備えた商品包装体であっても、包装用容器が透明であるか否かに関わらず、ラベル自体の美的印象に変化はない。
【０００５】
そこで本考案は、ラベル体の表示模様を印刷処理のみとせずに新規な構造を付加した包装用ラベルを提案したものである。
【課題を解決するための手段】
【０００６】
本考案の請求項１に係る包装用ラベルは、表面に模様印刷処理を施し、裏面に接着層を設けた所望形状のラベル体において、ラベル体の内方に模様形状となる抜き孔を設けてなることを特徴とするものである。
【０００７】
而して前記ラベル体を包装部材に貼着すると、抜き孔から貼着対象物（商品包装体）の地色が視認され、特に酒瓶等においては、特異な美感を呈することになる。
【０００８】
また本考案の請求項２記載に係る包装用ラベルは、前記の抜き孔をラベル体に施された印刷模様に対応させて設けたもので、模様の一部を抜き孔とすることで、貼着後に抜き孔からの貼着対象物（商品包装体）の地色も印刷模様の一部を構成するように視認される。
【０００９】
また本考案の請求項３記載に係る包装用ラベルは、模様印刷されたラベル体において、地模様箇所に抜き孔で模様を形成してなるもので、貼着後に当該地模様に抜き孔による貼着対象物（商品包装体）の地色が模様として現れる。
【考案の効果】
【００１０】
本考案の構成は上記のとおりで、ラベル体の内方に抜き孔を備えたもので、酒瓶などの商品包装体に貼着使用することで、従前の包装用ラベルでは発揮する事ができない、当該抜き孔による装飾効果を奏するものである。
【図面の簡単な説明】
【００１１】
【図１】本考案の第一実施例の正面図。
【図２】同剥離状態を示す斜視図。
【図３】同第二実施例の正面図。
【図４】同剥離状態を示す斜視図。
【考案を実施するための形態】
【００１２】
次に本考案の実施形態について説明する。図１，２は第一実施例を示すもので、この包装用ラベルは、剥離台紙１とラベル体２で構成され、剥離台紙１は、ラベル体２の製造工程で裏面に接着剤や粘着剤を塗布したラベル原紙を貼設してなるラベル台紙で、ラベル使用時に接着剤や粘着剤をラベル体２から分離させること無く、剥離可能な材質（表面処理されている）で形成されている。
【００１３】
ラベル体２は、その外縁が所望形状に型抜きされているもので、表面に所定の文字２１及び色彩模様２２を印刷処理して表示したものであり、裏面には粘着層（接着層）２３が形成されている。
【００１４】
特に本考案に係る包装用ラベルは、前記のラベル体２における模様（図示例は麻模様）２２と一致する抜き孔３を設けたものである。
【００１５】
而して前記ラベル体２を剥離台紙１から分離して商品包装体（例えば酒瓶）に貼着すると、通常のラベル体と異なり、抜き孔３から商品包装体の地色（透明）が視認され、特異な美感を呈することになる。
【００１６】
図３，４は、第二実施例を示すもので、この実施例の包装用ラベルも前記第一実施例と同様に剥離台紙１とラベル体２ａで構成される。
【００１７】
ラベル体２ａは、外縁が所望形状に型抜きされており、表面に所定の文字２１ａ及び色彩模様２２ａ、及び所定の範囲に地模様２４が印刷表示されており、裏面には粘着層（接着層）２３ａが形成されている。
【００１８】
更にこの実施例はラベル体２ａにおける地模様２４に、抜き孔３ａを設けたもので、この抜き孔３ａは波模様のように所望の模様形状としたものである。
【００１９】
従って、前記ラベル体２ａを剥離台紙１ａから分離して商品包装体（例えばワイン瓶）に貼着すると、通常のラベル体と異なり、抜き孔３ａから商品包装体の地色（透明）が視認されると共に、当該抜き孔３ａが地模様２４に表示された模様として現出することになる。
【００２０】
尚本考案は前記実施例に限定されるものではなく、ラベル貼着対象の商品包装体に応じて任意の形状及び印刷模様が採用されると共に、抜き孔も配置、形状は任意に定めることができるものである。
【符号の説明】
【００２１】
１，１ａ    剥離台紙
２，２ａ    ラベル体
２１，２１ａ    文字
２２，２２ａ    色彩模様
２３，２３ａ    粘着層（接着層）
２４    地模様
３，３ａ    抜き孔
【図１】
0003206875.tif 000003
【図２】
0003206875.tif 000004
【図３】
0003206875.tif 000005
【図４】
0003206875.tif 000006
(57)【要約】【課題】  消火栓に取り付けることで消火栓から排出される水量の調節を可能とする消火栓用蓋体を提供する。【解決手段】  消火栓蓋体１は、消火栓１０のホース接続口１１を覆うように取付可能な本体部２と、当該本体部２に設けられ、ホース接続口１１から本体部２内へ排出された水を、本体部２外へ排出するための蛇口６とを備え、蛇口６により本体部２外へ排出される水量を調節可能とした。【選択図】図１
0003206823.tif 000002
【実用新案登録請求の範囲】
【請求項１】
消火栓のホース接続口を覆うように取付可能な本体部と、当該本体部に設けられ、前記ホース接続口から前記本体部内へ排出された水を、前記本体部外へ排出するための蛇口とを備え、
前記蛇口により、前記本体部外へ排出される水量を調節可能としたことを特徴とする消火栓用蓋体。
【考案の詳細な説明】
【技術分野】
【０００１】
本考案は、消火栓のホース接続口に取り付けられる消火栓用蓋体に関する。
【背景技術】
【０００２】
従来より、床の清掃において使用される洗浄水は、洗面所や便所など予め蛇口が設けられた場所から供給していたため、蛇口が清掃場所の近辺にない場合は、水源の確保が困難であった。
【０００３】
これに対し、蛇口が清掃場所の近辺になくても、消火栓の水を使用すれば水源を確保することが可能である（特許文献１）。
【先行技術文献】
【特許文献】
【０００４】
【特許文献１】特開２０１２−２３９４８５号公報
【考案の概要】
【考案が解決しようとする課題】
【０００５】
しかしながら、このような消火栓の水は、消火時の放水に使用することは可能であるものの、他の用途に使用することまでは想定されていなかった。従って、消火栓の水を洗浄水として使用しようとすると、水量の調節が困難であるという問題があった。
【０００６】
そこで、本考案の目的は、上記従来の問題点を解消し、消火栓に取り付けることで消火栓から排出される水量の調節を可能とする消火栓用蓋体を提供することにある。
【課題を解決するための手段】
【０００７】
本考案のうち、請求項１に記載された考案は、消火栓のホース接続口を覆うように取付可能な本体部と、当該本体部に設けられ、前記ホース接続口から前記本体部内へ排出された水を、前記本体部外へ排出するための蛇口とを備え、
前記蛇口により、前記本体部外へ排出される水量を調節可能としたことを特徴とするものである。
【考案の効果】
【０００８】
請求項１に記載された考案によれば、消火栓の排出する水量の調節が可能となり、場所を選ばず水源を確保することができる。
【図面の簡単な説明】
【０００９】
【図１】消火栓用蓋体を消火栓に取り付けた状態を示す説明図である。
【図２】消火栓用蓋体を示す説明図である。
【図３】消火栓用蓋体の背面側を示す説明図である。
【考案を実施するための形態】
【００１０】
以下、本考案の消火栓蓋体の一実施形態について、図面に基づいて詳細に説明する。
図１は、消火栓用蓋体を消火栓に取り付けた状態を示す説明図である。図２は、消火栓用蓋体の正面側を示す説明図である。図３は、消火栓用蓋体の背面側を示す説明図である。
【００１１】
先ず初めに、図１に示すように、消火栓蓋体１は、収納箱１５内に配置される消火栓１０のホース接続口１１に接続される本体部２と、この本体部２の前面側に設けられた蛇口６とで構成される。
【００１２】
次に、本体部２は金属製の円盤で、従来からホース接続口１１に取り付けられているキャップである。図２に示すように、外周にはリング状のゴム５が嵌入されている。また、図３に示すように、本体部２の背面側には、中央にホース接続口１１の外径より僅かに大きい円形の凹部３が形成されており、この凹部３の内周壁面には、バネによって内径側に突出した状態の係止爪４，４・・が一定の間隔を隔てて設けられている。
【００１３】
このようにして構成される消火栓蓋体１は、以下のようにして使用される。
先ず始めに、図１に示すように、消火栓１０のホース接続口１１に、凹部３の係止爪４，４・・が係止する位置まで本体部２を挿嵌する。すると、消火栓１０に消火栓蓋体１が取り付けられた状態となる。この状態でバルブ１２を回転して栓を開いた後、ノブ７をひねると蛇口６から消火栓１０の水が供給され、このノブ７の開度に応じて水量の調節が行われる構造である。
【００１４】
一方、消火栓蓋体１をホース接続口１１から取り外す場合は、先ず始めにバルブ１２を回転して栓を閉め、ノブ７をひねって蛇口６から消火栓蓋体１内に残った水を排出する。次に、ホース接続口１１の先端側軸部分に設けられるリング状の取り外し機構１３をホース接続口１１の軸方向手前側に引くと、取り外し機構１３の端部で係止爪４，４・・が凹部３内に押し下げられることとなる。その結果、係止爪４，４・・によるホース接続口１１の係止が解除され、消火栓蓋体１が消火栓１０から取り外し可能な状態になる。
【００１５】
上記の如く構成される消火栓蓋体１は、消火栓１０のホース接続口１１を覆うように取付可能な本体部２と、当該本体部２に設けられ、ホース接続口１１から本体部２内へ排出された水を、本体部２外へ排出するための蛇口６とを備え、蛇口６により本体部２外へ排出される水量を調節可能とした。その結果、消火栓１０の排出する水量の調節が可能となり、場所を選ばず水源を確保することができる。
【００１６】
なお、本考案にかかる消火栓蓋体の構成は、上記した実施の形態に何ら限定されるものではなく、本考案の趣旨を逸脱しない範囲で、本体部の大きさや厚み、形状等を適宜変更することができる。
【００１７】
例えば、消火栓蓋体１は、凹部３の内径がホース接続口１１の外径に合わせたものを使用すれば良く、適宜変更可能である。
【００１８】
他にも、係止片４，４・・によるホース接続口１１への係止は、水が外部に漏れない構造であれば良く、適宜変更可能である。
【００１９】
また、蛇口６には、ホースを直結したり、分岐ジョイントを連結しても良い。
【符号の説明】
【００２０】
１・・消火栓蓋体、２・・本体部、３・・凹部、４・・係止片、５・・ゴム、６・・蛇口、７・・ノブ、１０・・消火栓、１１・・ホース接続口、１２・・バルブ、１３・・取り外し機構、１５・・収納箱。
【図１】
0003206823.tif 000003
【図２】
0003206823.tif 000004
【図３】
0003206823.tif 000005
(57)【要約】【課題】マシュマロを含むとともに、凹んで変形することがなく、湿気り難い上、様々な食べ方ができるチョコレート菓子を提供する。【解決手段】チョコレート菓子は、マシュマロ１と、マシュマロ１の表面を覆うココアパウダー層２と、ココアパウダー層２の表面を覆うチョコレート層３とを含む。マシュマロ１は無糖マシュマロである。チョコレート層３は、２８〜３２℃の融点を有するチョコレートからなる。【選択図】図１
0003206588.tif 000002
【実用新案登録請求の範囲】
【請求項１】
マシュマロと、
前記マシュマロの表面を覆うココアパウダー層と、
前記ココアパウダー層の表面を覆うチョコレート層と、を含むことを特徴とするチョコレート菓子。
【請求項２】
前記マシュマロは無糖マシュマロであることを特徴とする請求項１に記載のチョコレート菓子。
【請求項３】
前記チョコレート層は、２８〜３２℃の融点を有するチョコレートからなることを特徴とする請求項１に記載のチョコレート菓子。
【考案の詳細な説明】
【技術分野】
【０００１】
本考案は、食品技術分野に関し、特に、チョコレート菓子に関する。
【背景技術】
【０００２】
人々はお菓子を食べることにより肥満になってしまったり、心疾患にかかって動悸が起きたりするが、お菓子の誘惑を断ち切ることは困難である。生活水準が向上し、お菓子に対する科学的認識が高まるに従い、新機能、新しい味、複合型など、新製品の市場ニーズがさらに高まった。しかし従来市販されているお菓子の大部分は従来タイプであり、味及び機能の追及だけに限定されていた。
【０００３】
マシュマロはお菓子の一種であり、その形態及び口当たりは一般のキャンディーと異なり、消費者に歓迎されている。しかし、市販されているマシュマロに存在する糖体は容易に凹んで変形し、湿気り易いため、保存することは容易でなかった。
【考案の概要】
【考案が解決しようとする課題】
【０００４】
本考案の目的は、マシュマロを含むとともに、凹んで変形することがなく、湿気り難い上、様々な食べ方ができるチョコレート菓子を提供することにある。
【課題を解決するための手段】
【０００５】
上記課題を解決するために、本考案の第１の形態によれば、マシュマロと、前記マシュマロの表面を覆うココアパウダー層と、前記ココアパウダー層の表面を覆うチョコレート層と、を含むことを特徴とするチョコレート菓子が提供される。
【０００６】
前記マシュマロは無糖マシュマロであることが好ましい。
【０００７】
前記チョコレート層は、２８〜３２℃の融点を有するチョコレートからなることが好ましい。
【考案の効果】
【０００８】
本考案のチョコレート菓子は、マシュマロと、マシュマロの表面を覆うココアパウダー層と、ココアパウダー層の表面を覆うチョコレート層と、を含む。本考案が提供するチョコレート菓子は、マシュマロを主成分とし、その外層がココアパウダー及びチョコレートにより順次覆われる。マシュマロの糖体は、凹むことが無い上、湿気難いため保存し易い。さらに重要な点としては、本考案のチョコレート菓子は、直接食べることができ、チョコレート、ココア及びマシュマロの複数の口当たりを楽しむことができる上、熱いお湯を注ぐと、チョコレートが溶けてココアパウダーが溶解してココア風味の飲み物となり、マシュマロが表面に浮いた魅力的な飲み物となる。
【図面の簡単な説明】
【０００９】
【図１】図１は、本考案の一実施形態に係るチョコレート菓子を示す斜視図である。
【考案を実施するための形態】
【００１０】
以下、本考案の実施形態について図に基づいて説明する。なお、これによって本考案が限定されるものではない。
【００１１】
本考案の一実施形態に係るチョコレート菓子は、マシュマロ１と、マシュマロ１の表面を覆うココアパウダー層２と、ココアパウダー層２の表面を覆うチョコレート層３と、を含む。
【００１２】
図１を参照する。図１は、本考案の一実施形態に係るチョコレート菓子を示す斜視図である。図１において、１はマシュマロであり、２はココアパウダー層であり、３はチョコレート層である。
【００１３】
本考案の一実施形態に係るチョコレート菓子は、マシュマロ１を中心に有し、ココアパウダー層２及びチョコレート層３により順次覆われている。チョコレート菓子の中心にマシュマロ１を有するため、チョコレート菓子に１種類目の風味を提供し、チョコレート菓子がお湯に浸されると見た目が魅力的となる。本実施形態のマシュマロ１は、一般のマシュマロであるが、無糖マシュマロでもよい。上述のマシュマロ１は、糖類原料を煮込んでシロップを作り、加熱を止めた後にゼラチン溶液を加えて高速で掻き混ぜてから、色素及び香料を加えて掻き混ぜ、金型へ注ぎ込んで乾燥させてつくる。本実施形態のマシュマロ１のＢｒｉｘ値は８０°±１°である。
【００１４】
本実施形態のココアパウダー層２は、マシュマロ１の表面を覆い、チョコレート菓子に２種類目の風味を提供し、お湯にチョコレート菓子を浸して食べる際に主要な風味を得ることができる。本実施形態のマシュマロ１にはココアパウダーが付着され、マシュマロ１の表面がココアパウダーにより覆われてココアパウダー層２が形成される。本実施形態のココアパウダー層２には、ココアパウダー層２の風味を増すために、ココアパウダー、シュガーパウダー、ミルクパウダー、香料及び安定剤が含まれてもよい。
【００１５】
本実施形態のチョコレート菓子は、チョコレート層３によりココアパウダー層２の表面を覆い、チョコレート菓子に３種類目の風味を提供する。本実施形態のチョコレート層３は、２８〜３２℃の融点を有するチョコレートからなり、お湯にチョコレート菓子を浸すと溶解速度が速く、均一に溶解する。本実施形態のチョコレート菓子は、マシュマロ１にココアパウダーを付着させた後、溶融したチョコレートを処理し、ココアパウダー層２上にチョコレートを粘着させて冷却し、チョコレート層３を形成する。
【００１６】
上述したことから分かるように、本考案のチョコレート菓子は、マシュマロ１と、マシュマロ１の表面を覆うココアパウダー層２と、ココアパウダー層２の表面を覆うチョコレート層３と、を含む。本考案のチョコレート菓子は、マシュマロ１を主成分とし、その外層がココアパウダー及びチョコレートにより順次覆われる。マシュマロ１の糖体は、凹むことが無い上、湿気難いため保存し易い。さらに重要な点としては、本考案のチョコレート菓子は、直接食べることができ、チョコレート、ココア及びマシュマロの複数の口当たりを楽しむことができる上、熱いお湯を注ぐと、チョコレートが溶けてココアパウダーが溶解してココア風味の飲み物となり、マシュマロが表面に浮いた魅力的な飲み物となる。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１  マシュマロ
２  ココアパウダー層
３  チョコレート層
【図１】
0003206588.tif 000003
(57)【要約】      （修正有）【課題】こしの無い柔らかな袋等を自立させ、投入口を大きく開き保持させることができる袋詰め作業介助箱を提供する。【解決手段】袋詰め作業介助箱１は、四方形の略筒体であって、下部底面と上面が全面開口しており、四方が周壁における対向する二面が板支柱壁部４を成し、他の対向する二面は各々蛇腹折り縦中心線部６に沿って内側へ折り畳む形で蛇腹支柱壁部５を成し、最大拡張した状態及び折り畳んだ状態を共に必要なだけ固定的に保持することを特徴とする。【選択図】図１
0003206527.tif 000002
【実用新案登録請求の範囲】
【請求項１】
四方形の略筒体であって、下部底面と上面が全面開口しており、四方の周壁における対向する二面が板支柱壁部を成し、他の対向する二面は各々蛇腹折り縦中心線部に沿って内側へ折り畳む形で蛇腹支柱壁部を成し、
この周壁四面各々は、共に下方部は徐々に先細りしつつ、上部開口縁辺の約半分の幅で接地するのであり、
板支柱壁部の上端近くの中央部に持ち手部を設けてあり、
開口縁の四辺各々の両端寄りの位置で各２箇所、合計８箇所に、凹状に切欠いた袋固定溝部を設けてあり、
その内部の蛇腹支柱壁部の双方の開口縁中央部には、袋固定溝部に挟まれる形で、不必要な時の蛇腹折れを防ぐ中折れストッパー部を設けてあり、
板支柱壁部の各々の下端辺中央近くには、収納時に蛇腹を折り畳み閉じた状態を固定するための閉じ固定フック部を設けてあることを特徴とする袋詰め作業介助箱。
【考案の詳細な説明】
【技術分野】
【０００１】  本考案は、小物小粒のものを袋詰め作業で整理整頓する用具に関するものである。
【背景技術】
【０００２】  従来、小物小粒の物を袋詰め作業で整理整頓するには、ひとりの作業者が袋を持ち起立させ投入口を大きく開き保持し、もう一人が投入、多人数で作業をしてきた。多様なこしの無い柔らかな袋・紙袋・布袋・網袋・ビニール袋・・等では、なおさら使いこなすことが難しかった。
【考案の概要】
【考案が解決しようとする課題】
【０００３】  こしの無い柔らかな袋等で整理整頓するには、袋に小物小粒の物を投入する作業者、他に袋を常時起立させ投入口を大きく開いて保持置く作業者が必要である。袋内部に空間を維持投入口を常に開口安定させておくことが大切である。
本考案は以上の問題点を解決するためになされたものである。
【課題を解決するための手段】
【０００４】  四方形の略筒体であって、下部底面部と上面が全面開口しており、四方の周壁における対向する二面が板支柱壁部を成し、他の対向する二面は各々蛇腹折り縦中心線部に沿って内側へ折り畳む形で蛇腹支柱壁部を成す。この周壁四面各々は、共に下方部は徐々に先細りしつつ、上部開口縁辺の約半分の幅で接地する。板支柱壁部の上端縁近くの中央部に持ち手部を設けてあり、開口縁の四辺各々の両端寄りの位置で各２箇所、合計８箇所に凹状に切欠いた袋固定溝部を設けてあり、その内の蛇腹支柱壁部の双方の開口中央部には、袋固定溝部に挟まれる形で不必要な時の蛇腹折れを防ぐ中折れストッパー部を設けてある。板支柱壁部の各々の下端辺中央近くには、収納時に蛇腹を折り畳み閉じた状態で固定するための閉じ固定フック部を設けてある。
この様に構成された略筒体は、非使用時には蛇腹支柱壁部が内側へ折れて扁平状に畳まれて収納されており、使用時には閉じ固定フック部を外して蛇腹支柱壁部を広げて全体を立ち上がらせ、中折れストパー部を係着して略筒体全体を最大拡張した状態で固定し、内部に袋を入れて袋の取っ手を袋固定溝部に掛け留めてセットすれば、袋詰め作業開始可能状態となる。作業途中に移動しい時は中央にある持ち手部を持って運べば、袋の形も崩れず整然と元のままの形で移動させることが出来る。
以上を特徴とする袋詰め作業介助箱である。
【考案の効果】
【０００５】  従来人手と時間が掛かっていた、こしの無い柔らかな袋等での袋詰め作業は、本考案により、人手、作業時間、経費が軽減された。
【図面の簡単な説明】
【０００６】
【図１】本考案の斜視図
【図２】本考案の使用状態示す斜視図
【考案を実施するための形態】
【０００７】  以下、本考案の実施の形態を説明する。
四方形の略筒体の袋詰め作業介助箱（１）は、下部底辺と上面が全面開口しており、四方の周壁における対向する二面が板支柱壁部（４）を成し、他の対向する二面は各々蛇腹折り縦中心線部（６）に沿って内側へ折り畳む形で蛇腹支柱壁部（５）を成す。この周壁四面各々は共に下方部は徐々に先細りしつつ、上部開口縁辺の約半分の幅で接地する。板支柱壁部（４）の上端近くの中央部に持ち手部（２）を設けてあり、開口縁の四辺各々の両端寄りの位置で各２箇所、合計８箇所に凹状に切欠いた袋固定溝部（３）を設けてあり、その内の蛇腹支柱壁部（５）の双方の開口縁中央部には、袋固定溝部（３）に挟まれる形で必要な時の蛇腹折れを防ぐ中折れストッパー部（９）を設けてある、板支柱壁部（４）の各々の下端辺中央近くには、収納時に蛇腹を折り畳み閉じた状態を固定するための閉じ固定フック部（７）を設けてある。
本考案は以上の様な構成であり、以下その具体的な使用方法を説明する。袋詰め作業介助箱（１）の略筒体は非使用時は蛇腹支柱壁部（５）が内側へ折れて扁平状に畳まれて収納されており、使用時には閉じ固定フック部（７）を外して蛇腹支柱壁部（５）を広げて全体を立ち上がらせ、中折れストッパー部（９）を係着して略筒体全体を最大拡張した状態で固定し、内部に袋を入れて袋の取っ手を袋固定溝部（３）に掛け留めてセットすれば袋詰め作業開始可能状態になる。作業途中に移動したい時は、板支柱壁部（４）上端寄りの中央にある持ち手部（２）を持って運べば袋の形も崩れず、整然としたままの形で移動させることが出来る。。
以上を特徴とする袋詰め作業介助箱（１）である。
【符号の説明】
【０００８】１・袋詰め作業介助箱  ２・持ち手部  ３・袋固定溝部  ４・板支柱壁部
５・蛇腹支柱壁部  ６・蛇腹折り縦中心線部  ７・固定フック部
８・中折れストッパー部
【図１】
0003206527.tif 000003
【図２】
0003206527.tif 000004
(57)【要約】      （修正有）【課題】握力の弱い老人や女性であってもスムーズに蓋体を外すことができる箱を提供する。【解決手段】箱１は、角形の箱本体２と、左右の側壁部３ａ、３ｂの夫々における長さ方向の中央の下端縁に半円状の切り欠き４を設けた蓋体３とからなる。箱本体の左右の側壁部の夫々外側に、蓋体の半円状切り欠き位置に対応して、指の腹又は爪先を掛けるための凹み５を形成する。凹みは、箱本体の長さ方向に沿って所要の幅と深さを有するのが好ましい。【選択図】図１
0003206594.tif 000002
【実用新案登録請求の範囲】
【請求項１】
角形の箱本体と、左右の側壁部の夫々における長さ方向の中央の下端縁に半円状の切り欠きを設けた蓋体とからなり、前記箱本体の左右の側壁部の夫々における前記蓋体に設けた半円状の切り欠きに対応する位置の外面に、指の腹又は爪先を掛けるための凹みを形成したことを特徴とする箱。
【請求項２】
凹みが、箱本体の長さ方向に沿った、所要の幅と深さを有する凹みである請求項１記載の箱。
【考案の詳細な説明】
【技術分野】
【０００１】
本考案は蓋付きの箱に関するものである。
【背景技術】
【０００２】
例えば、線香を収容する箱は、図６に示す如き、角形の箱本体１００と、左右の側壁部１０１ａ、１０１ｂの夫々における長さ方向の中央の下端縁に半円状の切り欠き１０２を設けた蓋体１０１とからなる箱が用いられる。
【０００３】
そして、内部に収容した線香を使用するときには蓋体１０１を箱本体１００から外さなければならないが、それは図７に示す如く、一方の手の掌が箱本体１００の底面を向くようにして、その親指と中指とをもって蓋体１０１に設けた半円状の切り欠き１０２の部分において箱本体１００を挟み込むと共に、もう一方の手の掌が蓋体１０１の上面を向くようにして、その親指とこれ以外の指とをもって挟み込み、そして、この状態において反対方向に引いてずらすものである。
【０００４】
そして、このとき箱本体１００を保持するには箱本体１００を挟み込む親指と中指の２本の指しか使えず、且つまた親指と中指は、蓋体１０１に設けた半円状の切り欠き１０２から露出している僅かな部分にしか接触しないものである。
【０００５】
ところで、線香等の商品は、収容中に湿気を帯びないようにするために箱本体１００と蓋体１０１とが密閉されるように、箱本体１００と蓋体１０１とが密嵌状態となっており、且つまた使い始めにおいては収容された線香が充満して外側に膨らむために箱本体１００と蓋体１０１の接触状態がより緊密になる。更に、蓋体１０１を掴んで持ち上げた際に、箱本体１００が線香の重みで落下するのを防ぐため、箱本体１００と蓋体１０１の嵌合はきつめに設計されている。このため、蓋体１０１を箱本体１００から外すときにはかなり大きな力が必要である。
【０００６】
このように蓋体１０１を箱本体１００から外すときにはかなり大きな力が必要であるが、上記の如く、従来の箱にあっては、箱本体１００を保持するには箱本体１００を挟み込む親指と中指の２本の指しか使えず、且つまたこれら親指と中指の箱本体１００との接触部分は極めて少ないから、力を掛けづらく、握力の弱い老人や女性等にあっては指が滑ってスムーズに蓋体１０１を外すことができなかった。また、特に暑い季節にあっては汗をかくことから、この問題点は更に顕著になる。
【考案の開示】
【考案が解決しようとする課題】
【０００７】
本考案は上記の点に鑑みなされたものであって、握力の弱い老人や女性等であってもスムーズに蓋体を外すことができるようになした箱を提供しようとするものである。
【課題を解決するための手段】
【０００８】
而して、本考案の要旨とするところは、角形の箱本体と、左右の側壁部の夫々における長さ方向の中央の下端縁に半円状の切り欠きを設けた蓋体とからなり、前記箱本体の左右の側壁部の夫々における前記蓋体に設けた半円状の切り欠きに対応する位置の外面に、指の腹又は爪先を掛けるための凹みを形成したことを特徴とする箱にある。
【０００９】
また、上記の構成において、凹みを、箱本体の長さ方向に沿った、所要の幅と深さを有する凹みとすることが望ましい。
【考案の効果】
【００１０】
本考案は上記の如き構成であり、箱本体の左右の側壁部における蓋体に設けた半円状の切り欠きに対応する位置の外面に、指の腹又は爪先を掛けるための凹みを形成したものであるから、該凹みが滑り止めの作用をなし、即ち、箱本体を挟み込む親指と中指の腹の部分を該凹みに食い込ませて掛け、滑りにくくすることができ、或いは爪先を該凹みに入れて掛けることができるものである。したがって、力が入り易くなり、握力の弱い老人や女性等であってもスムーズに蓋体を外すことができるようになるものである。
【図面の簡単な説明】
【００１１】
【図１】本考案の実施形態に係る箱の斜視図である。
【図２】同箱本体の斜視図である。
【図３】同要部の拡大図である。
【図４】図３中Ａ−Ａ線断面図である。
【図５】図３中Ｂ−Ｂ線断面図である。
【図６】従来の箱の斜視図である。
【図７】従来の箱の蓋体を外す状態の斜視図である。
【考案を実施するための形態】
【００１２】
以下、本考案を実施するための形態について、図面を参照して説明する。
【００１３】
図中、１は箱体であり、線香等を収容するものである。また、該箱体１は、角形の箱本体２と、左右の側壁部３ａ、３ｂの夫々における長さ方向の中央の下端縁に半円状の切り欠き４を設けた蓋体３とからなるものである。斯かる構成は、従来の箱と同様である。
【００１４】
而して、本考案において特徴とするところは、前記箱本体２の左右の側壁部２ａ、２ｂの夫々における前記蓋体３に設けた半円状の切り欠き４に対応する位置の外面に、指の腹又は爪先を掛けるための凹み５を形成したことにある。また、本実施形態においては、該凹み５を、長さ方向に沿った、所要の幅Ｗと深さＤを有する凹みとしている。尚、該凹み５の幅Ｗは１．５ｍｍ、深さＤは１．０ｍｍ程度が望ましい。
【００１５】
上記の実施形態によれば、凹み５が滑り止めの作用をなし、即ち、図４に示す如く、箱本体２を挟み込む親指と中指の腹の部分（爪と反対側の部分）を該凹みに食い込ませて掛け、滑りにくくすることができ、或いは、図示はしないが、爪先を該凹み５に入れて掛けることができるものである。したがって、力が入り易くなり、握力の弱い老人や女性等であってもスムーズに蓋体３を外すことができるようになるものである。
【符号の説明】
【００１６】
１  箱
２  箱本体
２ａ、２ｂ  箱本体の左右の側壁部
３  蓋体
３ａ、３ｂ  蓋体の左右の側壁部
４  切り欠き
５  凹み
【図１】
0003206594.tif 000003
【図２】
0003206594.tif 000004
【図３】
0003206594.tif 000005
【図４】
0003206594.tif 000006
【図５】
0003206594.tif 000007
【図６】
0003206594.tif 000008
【図７】
0003206594.tif 000009
(57)【要約】      （修正有）【課題】根腐れを起こしにくい底をなくした植木鉢を提供する。【解決手段】植木鉢の底をなくし、斜面でも植え付けが簡単にできるように、斜面下側と斜面上側に位置する円筒部分の長さを変えたことを特徴とする。【選択図】図４
0003206515.tif 000002
【実用新案登録請求の範囲】
【請求項１】
庭に植えた宿根草・花木の保護のために筒状になった植木鉢。
【考案の詳細な説明】
【技術分野】
【０００１】  この実用新案は植木鉢を空洞化した空洞植木鉢に関するものである。
【背景技術】
【０００２】  従来、植木鉢の底部は水を抜くための穴があったがこれを土中に埋めると根腐れを起こしやすくふむきになっていた。
【考案の概要】
【考案が解決しようとする課題】
【０００３】  これには次のような欠点があった。
（イ）  底部の穴が小さいので根腐れを起こしやすい。
（ロ）  焼き物であるので穴を大きくしたり、底をとってしまうことが簡単にできない。
本、実用新案は以上のような欠点をなくすためになされたものである。
【課題を解決しようとする手段】
【０００４】  植木鉢の底を設けなくし、又斜面への植え付けを可能にするために片側半面をながくする。
本、実用新案は以上の構成よりなる空洞植木鉢である。
【考案の効果】
【０００５】（イ）  底部の穴がないので根腐れを起こしにくい。
（ロ）  斜面への植え付けが簡単にできる。
（ハ）  植栽用に適した土の流失防止になる。
（二）  草刈り時に空洞植木鉢が目印になり間違えて切断することがない。
（ホ）  宿根草が枯れる時期でも空洞植木鉢が目印となり間違えて耕して根を破損することがない。
（ヘ）  形状（円形・多角形）・材質（陶器・ブラッチック・・コンクリート・等）を自由に変えて庭・公園にあった物にすることができる。
【考案を実施するための最良の形態】
【０００６】  以下、本実用新案を実施するための最良の形態について説明する。
植木鉢（１）の底部を設けなく，作製し円筒形とする。
斜面への設置も考慮し斜面下側（２）と斜面上側（３）との長さを倍ほどとする。
又、草刈り機の衝撃にも耐えうる厚みを備えたものになる。
本、実用新案は以上のような構造である。
【図面の簡単な説明】
【０００７】
【図１】  本  実用新案の平面図である。
【図２】  本  実用新案の正面図である。
【図３】  本  実用新案の側面図である。
【図４】  本  実用新案の参考設置図である。
【符号の説明】
【０００８】  １  空洞植木鉢
２  斜面下側
３  斜面上側
【図１】
0003206515.tif 000003
【図２】
0003206515.tif 000004
【図３】
0003206515.tif 000005
【図４】
0003206515.tif 000006
(57)【要約】      （修正有）【課題】軽量で簡単にワンタッチで自動全開でき、洋傘ド−ム内に吹き込んで来た暴風を洋傘ド−ム外へ大量に放出することができる暴風雨対応洋傘を提供する。【解決手段】洋傘の骨組は軽量で丈夫なグラスファイバ−からなり、上部フラット透明ビニ−ル１と下部フラット透明ビニ−ル２を上下別々に相互重複して２重構造３にし、隙間から洋傘ド−ム内に吹き込んで来た暴風を洋傘ド−ム外へと放出する。下部フラット透明ビニ−ルの上部外周縁３６０°に漏水防止ベルト１０を固着した。【選択図】図２
0003206516.tif 000002
【実用新案登録請求の範囲】
【請求項１】
上部フラット透明ビニ−ルと下部フラット透明ビニ−ルを上下別々相互重複２重構造にした隙間から洋傘ド−ム内に吹き込んで来た暴風を洋傘ド−ム外へと暴風スル−放出する構造機能の下部フラット透明ビニ−ル上部外周縁３６０°に漏水防止ベルト固着した暴風雨対応洋傘。
【請求項２】
暴風スル−隙間アップ凸立体部位は下部フラット透明ビニ−ル上部外周縁の各親骨に固着している構造を特徴とする請求項１記載の暴風雨対応洋傘。
【請求項３】
上部フラット透明ビニ−ル下部外周縁と下部フラット透明ビニ−ルは複数ピンポイント融着している構造を特徴とする請求項１記載の暴風雨対応洋傘。
【請求項４】
下部フラット透明ビニ−ル上部外周縁は各親骨に固着している構造を特徴とする請求項１記載の暴風雨対応洋傘。
【請求項５】
上部フラット透明ビニ−ルと下部フラット透明ビニ−ルが上下別々相互重複２重構造部位の下部両サイドの数カ所は各親骨に同時固着している構造を特徴とする請求項１記載の暴風雨対応洋傘。
【考案の詳細な説明】
【技術分野】
【０００１】  本考案は暴風雨対応洋傘のファンクション構造に関わる。
【背景技術】
【０００２】  暴風雨対応洋傘は６社６種類がマ−ケットに流通しています。その内１種類は流体力学を応用して暴風を受け流す構造の暴風雨対応洋傘です。しかし洋傘ド‐ム内に暴風が吹き込んで来た時の最重要項目リスク回避の説明が明記されていない。後の３種類は暴風雨に負けない頑丈な暴風雨対応洋傘です。しかし頑丈な構造がリスクで、洋傘ド‐ム内に暴風が吹き込んで来た時の最重要項目リスク回避の説明が明記されていない。残りの２種類は洋傘ド−ム内に吹き込んで来た暴風を洋傘ド−ム外へと暴風スル−放出ファンクション構造の暴風雨対応洋傘です。しかし洋傘が重くて洋傘の開閉は手動式で強い腕力が必要です。重い洋傘は長時間使用する時、子供や女性や高齢者や体力に自信のない人には大変で、全開する時に強い腕力が必要で一苦労するでしょう。
【考案の概要】
【考案が解決しようとする課題】
【０００３】  洋傘ド‐ム内に吹き込んで来た暴風を洋傘ド‐ム外へと暴風スル−大量に放出が可能で、類似品の洋傘より軽量リ‐ズナブル安価で、洋傘の全開は簡単ワンタッチ自動式全開が希求される。洋傘ド‐ム内に漏水の恐れがあるので洋傘ド‐ム内への漏水抑制防止、機能構造が希求される。【０００４】  洋傘ド‐ム内に吹き込んで来た暴風を洋傘ド‐ム外へと暴風スル‐大量に放出できるファンクション構造の暴風雨対応洋傘が希求される。【０００５】  本考案の類似品は２社２種類がマ‐ケットに流通していますが洋傘が重く、また洋傘を全開する時は手動式で、強い腕力が必要で子供や女性や高齢者や体力に自信のない人は使用する時に一苦労するでしょう。携帯使用する時に、軽くて簡単に全開できる暴風雨対応洋傘が希求される。【０００６】  洋傘ド−ム内に吹き込んで来た暴風を洋傘ド−ム外へと暴風スル−放出する暴風雨対応洋傘は高価です。気軽に購入できるリ‐ズナブル安価な暴風雨対応洋傘が希求される。【０００７】  本考案の暴風雨対応洋傘は構造上、漏水の恐れがあるので暴風スル‐吸入部位ラインや暴風スル‐放出部位ラインに漏水抑制防止ファンクション構造の暴風雨対応洋傘が希求される。
【課題を解決するための手段】
【０００８】  下部フラット透明ビニ‐ル上部外周縁の各親骨に隙間アップ凸立体の暴風スル−大量吸入ファンクション構造を設けます。【０００９】  洋傘の骨組に軽量のグラスファイバ‐を使用して各パ‐ツを小型軽量化します。そして洋傘の全開はワンタッチで簡単に全開できる自動式全開ファンクション構造を設けます。【００１０】  本考案のビジネスは収益社会還元最優先ソ‐シャルビジネスです。利益を僅少にして既存の類似品の価格より安価リ‐ズナブルな価格を実現します。【００１１】  下部フラット透明ビニ‐ル上部外周縁３６０°にベルト式漏水防止ファンクション構造を設けます。【００１２】  上部フラット透明ビニ‐ル下部外周縁と下部フラット透明ビニ‐ルが複数ピンポイント融着した漏水抑制ファンクション構造を設けます。
【考案の効果】
【００１３】  本考案の暴風雨対応洋傘は暴風スル−隙間アップ凸立体部位ファンクション構造で、洋傘ド‐ム内に吹き込んで来た暴風を洋傘ド‐ム外へと暴風スル‐大量に放出します。よって暴風の風圧力で洋傘が逆さ傘になって破損びしょ濡れになったり、暴風の風圧力で洋傘が吹き飛ばされて紛失びしょ濡れになる心配はなく、再購入パスの経済的な暴風雨対応洋傘です。【００１４】  本考案の暴風雨対応洋傘はマ‐ケットに流通している類似品２社２種類の暴風雨対応洋傘の重量よりも軽量で、また洋傘の全開はワンタッチで簡単に全開できます。子供や女性や高齢者や体力に自信のない人でも気軽に携帯使用できます。【００１５】  本考案の暴風雨対応洋傘はマ‐ケットに流通している類似品２社２種類の暴風雨対応洋の価格より遙かにリ‐ズナブル安価です。母親が子供に、気楽に購入できます。一般のエンドユ‐ザ‐も気楽に購入できるでしょう。【００１６】  下部フラット透明ビニ‐ル上部外周縁３６０°にベルト式漏水防止ファンクション構造を設けて漏水を防止します。【００１７】  上部フラット透明ビニ‐ル下部外周縁と下部フラット透明ビニ−ルは複数ピンポイント融着して横幅を短縮する構造で漏水エリア空間を縮小して漏水を抑制します。
【図面の簡単な説明】
【００１８】
【図１】親骨と受骨８本洋傘の８分の１パ−ツ・フラット透明ビニ−ル三角パネル平面図
【図２】親骨と受骨８本洋傘を石突部位の真上から視た全体平面図
【符号の説明】
【００１９】  １・・上部フラット透明ビニ‐ル
２・・下部フラット透明ビニ‐ル
３・・上部フラット透明ビニ−ルと下部フラット透明ビニ−ルが上下別々相互重複２重        構造部位
４・・下部フラット透明ビニ−ル上部外周縁は各親骨に固着部位
５・・親骨と受骨のジョイント部位
６・・上部フラット透明ビニ−ル下部外周縁と下部フラット透明ビニ−ルのピンポイン        ト漏水抑制ストッパ−溶着部位
７・・下部フラット透明ビニ−ル上部外周縁は膨張抑制折り返し多重構造部位
８・・上部フラット透明ビニ−ル下部外周縁は折り返しダブル２重構造部位
９・・下部フラット透明ビニ−ル下部外周縁は折り返しダブル２重構造部位
１０・・下部フラット透明ビニ−ル上部外周縁にベルト式漏水防止ストッパ−固着部位
１１・・露先      １２・・石突      １３・・親骨
１４・・上部フラット透明ビニ−ルと下部フラット透明ビニ−ルが重複して各親骨に同時        固着部位
１５・・暴風スル−隙間アップ凸立体部位は各親骨に固着部位
【図１】
0003206516.tif 000003
【図２】
0003206516.tif 000004
(57)【要約】      （修正有）【課題】従来の事務用クリップに付加価値を与え作業効率の向上、注目度の向上、独自性を持たせることを目的とした事務用クリップ用マーカーを提供する。【解決手段】付箋・連絡メモ・ネームプレート等の目的に応じたマーカーの裏面に、クリップ固定用のポケットを装着することにより、事務用クリップに容易に取り付け可能なマーカーとする。【選択図】図１
0003206517.tif 000002
【実用新案登録請求の範囲】
【請求項１】
図形や造形物をマーカーとして事務用クリップに容易に装着可能とするため、裏面に事務用クリップ固定用のポケットを設けた事務用クリップマーカー。
【請求項２】
裏面の事務用クリップ固定用ポケットに複数の切込みを設けることにより、差し込み位置の移動によりマーカーの位置の変更を可能とし、合わせてサイズの異なる事務用クリップの使用を可能とする事務用クリップマーカー。
【考案の詳細な説明】
【技術分野】
【０００１】本件の考案は事務用クリップに装着することにより、視認性を高め、かつ識別を可能とし、事務用クリップをより有効活用することを目的とするものである。
【背景技術】
【０００２】従来、事務用クリップは紙を挟み使用することを目的としたものが一般的である。
【考案の概要】
【考案が解決しようとするための課題】
【０００３】従来の事務用クリップに付加価値を与え、作業効率の向上、注目度の向上、独自性をもたせることを課題とする。
【課題を解決するための手段】
【０００４】課題解決の第一考案は、事務用クリップに容易に装着することのできるマーカーとすることである。
図１に示す通り、図形や造形物をマーカーとして使用する。第二考案は、上記マーカー固定に際し、対象となる図形や造形物にポケットを設け、簡単に事務クリップに装着することを可能とする。第三考案は、上記第二考案のポケット部分に複数の切り込みを設けることにより、マーカーの位置を変更したり、サイズの異なる事務クリップに装着することを可能とする。
【考案の効果】
【０００５】マーカーを装着することにより、視認性を高め、識別を容易にし、作業効率の向上、注目度の向上、独自性の保持を可能とする。また、マーカーに書き込みスペースを設けることにより、連絡メモ、ネームカードや付箋としても活用することができる。
【図面の簡単な説明】
【０００６】
【図１】は正面図（表面）
【図２】は右側面図
【図３】は左側面図
【図４】は正面図（裏面）
【実施例】
【０００７】事務用クリップに装着し、マーカー機能を持った事務クリップとして使用する。【０００８】マーカー部分に文字書き込みスペースを作成し、事務用クリップに装着し、連絡メモ、付箋として使用する。【０００９】マーカー部分をネームプレートとして作成し、事務用クリップに装着し胸ポケット等に挟み使用する。【００１０】マーカー部分を広告スペースとして作成し、事務用クリップに装着し、広告媒体として使用する。
【考案を実施するための形態】
【００１１】目的とデザインに応じ、材質については加工のしやすいものであれば特に制限はない。ただし、事務クリップとしての使用を目的とした場合には、重量の軽い材質で作成することが望ましい。
【符号の説明】
【００１２】１はマーカー部本体
２は事務用クリップ
３は事務用クリップ固定用ポケット
４は事務用クリップ差し込み用切り込み
【図１】
0003206517.tif 000003
【図２】
0003206517.tif 000004
【図３】
0003206517.tif 000005
【図４】
0003206517.tif 000006